(57)【要約】【課題】廃棄物が入れられたビニール袋を、ビニール袋を破ることなく容易かつ確実に吊り上げることができる袋巻込み吊り治具を提供する。【解決手段】吊り治具本体１と、吊り治具本体１の下部に水平に取り付けられた駆動ローラ２および従動ローラ３と、駆動ローラ２を回転させる回転駆動手段４とからなり、回転駆動手段４は、吊り治具本体１に取り付けられた昇降手段５と、昇降手段５により昇降するラック６と、ラック６と噛み合う、吊り治具本体１に取り付けられた回転軸７に固定されたピニオン８と、回転軸７の回転力を駆動ローラ２に伝達する回転力伝達手段９とから構成されている。【選択図】図１
2018016425.tif 000002
【特許請求の範囲】
【請求項１】
廃棄物が入れられた袋の上部を巻き込んで、前記袋を吊り上げる袋巻込み吊り治具において、
吊り治具本体と、前記吊り治具本体の下部に水平に取り付けられた駆動ローラおよび従動ローラと、前記駆動ローラを回転させる回転駆動手段とからなり、前記回転駆動手段は、前記吊り治具本体に取り付けられた昇降手段と、前記昇降手段により昇降するラックと、前記ラックと噛み合う、前記吊り治具本体に取り付けられた回転軸に固定されたピニオンと、前記回転軸の回転力を前記駆動ローラに伝達する回転力伝達手段とからなり、前記駆動ローラと前記従動ローラとの間に、廃棄物が入れられた袋の上部を巻き込んだ状態で、前記吊り治具本体を持ち上げることによって、前記袋を吊り上げることを特徴とする袋巻込み吊り治具。
【請求項２】
前記昇降手段は、シリンダとピストンとを備えたシリンダ機構からなっていることを特徴とする、請求項１に記載の袋巻込み吊り治具。
【請求項３】
前記シリンダ機構は、空気圧により作動することを特徴とする、請求項２に記載の袋巻込み吊り治具。
【請求項４】
前記回転力伝達手段は、前記回転軸に固定された駆動側プーリと、前記駆動ローラの軸に固定された従動側プーリと、前記駆動側プーリの回転力を前記従動側プーリに伝達するベルトとからなることを特徴とする、請求項１から３の何れか１つに記載の袋巻込み吊り治具。
【請求項５】
前記袋は、ビニール袋からなっていることを特徴とする、請求項１から４の何れか１つに記載の袋巻込み吊り治具。
【請求項６】
前記駆動ローラおよび前記従動ローラの少なくとも一方の表面には、凹凸が形成されていることを特徴とする、請求項１から５の何れか１つに記載の袋巻込み吊り治具。
【請求項７】
前記駆動ローラおよび前記従動ローラは、ウレタンゴムからなっていることを特徴とする、請求項１から６の何れか１つに記載の袋巻込み吊り治具。
【請求項８】
前記駆動ローラの回転力は、ギヤを介して前記従動ローラに伝達されることを特徴とする、請求項１から７の何れか１つに記載の袋巻込み吊り治具。
【発明の詳細な説明】
【技術分野】
【０００１】
この発明は、袋巻込み吊り治具、特に、廃棄物が入れられたビニール袋を、ビニール袋を破ることなく容易かつ確実に吊り上げることができる袋巻込み吊り治具にするものである。
【背景技術】
【０００２】
例えば、除染作業により出た廃棄物は、一旦、ビニール袋に入れられ、この後、廃棄物が入れられたビニール袋は、ピット内に投入され、保管される。ピット内に投入されたビニール袋を他の場所に搬送するには、ビニール袋は、ピット内に山積みにされているので、上から順に取り出して搬送する。この際、廃棄物には、高線量のものも含まれるので、ビニール袋を破ることなくピット内から取り出す必要がある。
【０００３】
ビニール袋をピット内から取り出す方法として、廃棄物が入れられた部分のビニール袋を把持具により挟んで吊り上げる方法が考えられるが、この方法によると、ビニール袋を介して廃棄物が挟まれるので、ビニール袋が破れる可能性が高くなる。特に、廃棄物が硬いものの場合には、ビニール袋が破れる可能性が高くなる。
【先行技術文献】
【特許文献】
【０００４】
【特許文献１】特開平８−２３４４２５号公報
【特許文献２】特開平１１−２９１２０５号公報
【発明の概要】
【発明が解決しようとする課題】
【０００５】
そこで、廃棄物が存在しないビニール袋の上部を挟んでビニール袋を吊り上げる方法が考えられる。この方法によれば、ビニール袋のみを挟むので、廃棄物の種類を問わず、ビニール袋が破れる可能性は低い。
【０００６】
しかし、廃棄物が入れられたビニール袋を、ビニール袋を破ることなく容易かつ確実に吊り上げることができる袋巻込み吊り治具は、未だ提案されていない。
【０００７】
なお、特許文献１には、ごみ袋を吸引力によりアームを介して持ち上げる装置が記載され、特許文献２には、ごみ袋を一つ一つ掴んで投入することなく、ごみ収集車に一括して投入することができる装置が開示されているが、何れも、この発明のように、ビニール袋の上部をロールにより巻き込んで吊り上げるものではない。
【０００８】
従って、この発明の目的は、廃棄物が入れられたビニール袋を、ビニール袋を破ることなく容易かつ確実に吊り上げることができる袋巻込み吊り治具を提供することにある。
【課題を解決するための手段】
【０００９】
この発明は、上記目的を達成するためになされたものであって、下記を特徴とするものである。
【００１０】
請求項１に記載の発明は、廃棄物が入れられた袋の上部を巻き込んで、前記袋を吊り上げる袋巻込み吊り治具において、吊り治具本体と、前記吊り治具本体の下部に水平に取り付けられた駆動ローラおよび従動ローラと、前記駆動ローラを回転させる回転駆動手段とからなり、前記回転駆動手段は、前記吊り治具本体に取り付けられた昇降手段と、前記昇降手段により昇降するラックと、前記ラックと噛み合う、前記吊り治具本体に取り付けられた回転軸に固定されたピニオンと、前記回転軸の回転力を前記駆動ローラに伝達する回転力伝達手段とからなり、前記駆動ローラと前記従動ローラとの間に、廃棄物が入れられた袋の上部を巻き込んだ状態で、前記吊り治具本体を持ち上げることによって、前記袋を吊り上げることに特徴を有するものである。
【００１１】
請求項２に記載の発明は、請求項１に記載の発明において、前記昇降手段は、シリンダとピストンとを備えたシリンダ機構からなっていることに特徴を有するものである。
【００１２】
請求項３に記載の発明は、請求項２に記載の発明において、前記シリンダ機構は、空気圧により作動することに特徴を有するものである。
【００１３】
請求項４に記載の発明は、請求項１から３の何れか１つに記載の発明において、前記回転力伝達手段は、前記回転軸に固定された駆動側プーリと、前記駆動ローラの軸に固定された従動側プーリと、前記駆動側プーリの回転力を前記従動側プーリに伝達するベルトとからなることに特徴を有するものである。
【００１４】
請求項５に記載の発明は、請求項１から４の何れか１つに記載の発明において、前記袋は、ビニール袋からなっていることに特徴を有するものである。
【００１５】
請求項６に記載の発明は、請求項１から５の何れか１つに記載の発明において、前記駆動ローラおよび前記従動ローラの少なくとも一方の表面には、凹凸が形成されていることに特徴を有するものである。
【００１６】
請求項７に記載の発明は、請求項１から６の何れか１つに記載の発明において、前記駆動ローラおよび前記従動ローラは、ウレタンゴムからなっていることに特徴を有するものである。
【００１７】
請求項８に記載の発明において、請求項１から７の何れか１つに記載の発明において、前記駆動ローラの回転力は、ギヤを介して前記従動ローラに伝達されることに特徴を有するものである。
【発明の効果】
【００１８】
この発明によれば、廃棄物が入れられたビニール袋の中で、廃棄物が存在しないビニール袋の上部を駆動ローラと従動ローラとの間に巻き込み、吊り治具本体を持ち上げることによって、ビニール袋を破ることなく容易かつ確実に吊り上げることができる。
【００１９】
また、この発明によれば、駆動ローラを駆動する回転駆動手段として、シリンダ機構により昇降するラックと、これに噛み合うピニオンとを用いることによって、シリンダ機構によりラックを昇降させるだけで、ビニール袋の吊上げおよび解放を行うことができる。
【００２０】
また、この発明によれば、駆動ローラおよび従動ローラの少なくとも一方の表面に凹凸を形成することによって、ビニール袋の滑りを防止でき、かくして、ビニール袋を確実に吊り上げることができる。
【００２１】
また、この発明によれば、駆動ローラおよび従動ローラをウレタンゴムにより構成することによって、ビニール袋の滑りを確実に防止することができる。
【００２２】
また、この発明によれば、駆動ローラの回転力をギヤを介して従動ローラに伝達することにより、ビニール袋を駆動ローラと従動ローラとの間に確実に巻き込むことができる。
【図面の簡単な説明】
【００２３】
【図１】この発明の袋巻込み吊り治具を示す部分省略正面図である。
【図２】この発明の袋巻込み吊り治具を示す部分省略側面図である。
【図３】ビニール袋を巻き込む前の、この発明の袋巻込み吊り治具を示す部分省略正面図である。
【図４】ビニール袋を巻き込む前の、この発明の袋巻込み吊り治具を示す部分省略側面図である。
【図５】ビニール袋を巻き込んだ、この発明の袋巻込み吊り治具を示す部分省略正面図である。
【図６】ビニール袋を巻き込んだ、この発明の袋巻込み吊り治具を示す部分省略側面図である。
【発明を実施するための形態】
【００２４】
この発明の袋巻込み吊り治具の一実施態様を、図面を参照しながら説明する。
【００２５】
図１は、この発明の袋巻込み吊り治具を示す部分省略正面図、図２は、この発明の袋巻込み吊り治具を示す部分省略側面図である。
【００２６】
図１および図２において、１は、吊り治具本体である。吊り治具本体１の上部には、棒体１ａが取り付けられ、吊り治具本体１の移動が手動により行えるようになっている。２は、吊り治具本体１の下部に水平に取り付けられた駆動ローラ、３は、吊り治具本体１の下部に駆動ローラ２と近接して平行に取り付けられた従動ローラである。
【００２７】
廃棄物（Ｍ）が入れられた後述するビニール袋（Ｐ）（図３参照）の上部は、駆動ローラ２と従動ローラ３との間に巻き込まれることにより吊り上げられる。吊り上げる袋としては、ビニール袋以外の袋であってもよい。この例では、駆動ローラ２および従動ローラ３の表面に凹凸は形成されていないが、駆動ローラ２および従動ローラ３の少なくとも一方の表面に凹凸を形成すれば、駆動ローラ２および従動ローラ３とビニール袋（Ｐ）との間の摩擦力が大きくなるので、ビニール袋（Ｐ）の巻き込みが容易に行えるとともに、ビニール袋（Ｐ）を吊り上げた際のビニール袋（Ｐ）の滑りを防止することができる。駆動ローラ２および従動ローラ３の材質は、滑りにくい点からウレタンゴムが好ましい。駆動ローラ２の回転力をギヤ（図示せず）を介して従動ローラ３に伝達させれば、駆動ローラ２と従動ローラ３とが一体的に回転するので、ビニール（Ｐ）の駆動ローラ２と従動ローラ３との間への巻込みが確実に行なえる。
【００２８】
４は、駆動ローラ２を回転させる回転駆動手段である。回転駆動手段４は、吊り治具本体１に取り付けられた昇降手段５と、昇降手段５により昇降するラック６と、ラック６と噛み合う、吊り治具本体１に取り付けられた回転軸７に固定されたピニオン８と、回転軸７の回転力を駆動ローラ２に伝達する回転力伝達手段９とからなっている。
【００２９】
昇降手段５は、シリンダ１０とピストン１１とを備えたシリンダ機構からなり、空気圧あるいは油圧により作動し、ラック６は、ピストン１１のロッドに連結され、昇降手段５によりラック６が昇降する。シリンダ機構として空気圧を使用すれば、出力調整が容易に行えるので、ビニール袋（Ｐ）を吊り上げる際にビニール袋（Ｐ）及ぼすダメージを最小限に止めることができる。
【００３０】
回転力伝達手段９は、回転軸７に固定された駆動側プーリ１２と、駆動ローラ２の軸に固定された従動側プーリ１３と、駆動側プーリ１２の回転力を従動側プーリ１３に伝達するベルト１４とからなっている。
【００３１】
このように構成されている、この発明の袋巻込み吊り治具によれば、以下のようにして、廃棄物（Ｍ）が入れられたビニール袋（Ｐ）が吊り上げられる。
【００３２】
図３および図４に示すように、吊り治具本体１をビニール袋（Ｐ）の真上に移動させる。この後、図５および図６に示すように、回転駆動手段４を作動させて、ラック６を上昇させる。これにより、回転軸７がピニオン８を介して回転する。回転軸７の回転力は、回転力伝達手段９を介して駆動側プーリ１２に伝達され、駆動ローラ２が図５中、Ａ方向に回転する。これに伴って、従動ローラ３は、駆動ローラ２の回転方向Ａ方向と逆方向の、図５中、Ｂ方向に回転する。かくして、廃棄物（Ｍ）が存在しないビニール袋（Ｐ）の上部は、駆動ローラ２と従動ローラ３との間に巻き込まれる。
【００３３】
このようにして、駆動ローラ２と従動ローラ３とにより、ビニール袋（Ｐ）の上部を巻き込んだ後、吊り治具本体１を持ち上げれば、ビニール袋（Ｐ）を吊り上げることができる。
【００３４】
ビニール袋（Ｐ）を所定の場所に搬送後、ビニール袋（Ｐ）を吊り治具本体１から解放するには、吊り上げた場合とは逆に、回転駆動手段４を作動させて、ラック６を下降させる。これにより、駆動ローラ２が図５中、Ｃ方向に回転する。これに伴って、従動ローラ３は、駆動ローラ２の回転方向Ｃ方向と逆方向の、図５中、Ｄ方向に回転する。かくして、廃棄物（Ｍ）が入れられたビニール袋（Ｐ）は、吊り治具本体１から解放される。
【００３５】
以上、説明したように、この発明によれば、廃棄物（Ｍ）が入れられたビニール袋（Ｐ）の中で、廃棄物（Ｍ）が存在しないビニール袋（Ｐ）の上部を駆動ローラ２と従動ローラ３との間に巻き込み、吊り治具本体１を持ち上げることによって、ビニール袋（Ｐ）を破ることなく容易かつ確実に吊り上げることができる。
【００３６】
また、この発明によれば、駆動ローラ２を駆動する回転駆動手段４として、シリンダ機構により昇降するラック６と、これに噛み合うピニオン８とを用いることによって、シリンダ機構によりラック６を昇降させるだけで、ビニール袋（Ｐ）の吊上げおよび解放を行うことができる。
【００３７】
また、この発明によれば、駆動ローラ２および従動ローラ３の少なくとも一方の表面に凹凸を形成することによって、ビニール袋（Ｐ）の滑りを防止でき、かくして、ビニール袋（Ｐ）を確実に吊り上げることができる。
【００３８】
また、この発明によれば、駆動ローラ２および従動ローラ２をウレタンゴムにより構成することによって、ビニール袋（Ｐ）の滑りを確実に防止することができる。
【００３９】
また、この発明によれば、駆動ローラ２の回転力をギヤを介して従動ローラ３に伝達することにより、ビニール袋（Ｐ）を駆動ローラ２と従動ローラ３との間に確実に巻き込むことができる。
【符号の説明】
【００４０】
１：吊り具本体
１ａ：棒体
２：駆動ローラ
３：従動ローラ
４：回転駆動手段
５：昇降手段
６：ラック
７：回転軸
８：ピニオン
９：回転力伝達手段
１０：シリンダ
１１：ピストン
１２：駆動側プーリ
１３：従動側プーリ
１４：ベルト
【図１】
2018016425.tif 000003
【図２】
2018016425.tif 000004
【図３】
2018016425.tif 000005
【図４】
2018016425.tif 000006
【図５】
2018016425.tif 000007
【図６】
2018016425.tif 000008